(57)【要約】【課題】手摺り同士を容易に連結することができ、施工作業を短時間で行い得る手摺り用連結具を提供する。【解決手段】第１連結具片２と、第２連結具片３とを備える。第１連結具片２は、第１手摺り連結部２１と、その第１手摺り連結部２１と一体に形成された第１係合部２２とを備えている。第２連結具片３は、第２係合部３２と、その第２係合部３２と一体に形成された第２手摺り連結部３１とを備えている。第１係合部２２と第２係合部３２とは、第１手摺り連結部２１に一方の手摺り１００ａの端部が連結されるとともに、第２手摺り連結部３１に他方の手摺り１００ｂの端部が連結された状態で、係合ボルト１２によって互いに係脱自在に係合できるように構成されている。【選択図】図２
0003177255.tif 000002
【実用新案登録請求の範囲】
【請求項１】
２本の手摺りを連結する手摺り用連結具であって、
第１連結具片と、第２連結具片とを備え、
前記第１連結具片は、一端側に、一方の手摺りの端部と連結する第１手摺り連結部を備えているとともに、他端側に、前記第１手摺り連結部と固定的に連結された第１係合部を備え、
前記第２連結具片は、一端側に、前記第１係合部と係脱自在に係合する第２係合部を備えているとともに、他端側に、前記第２係合部と固定的に連結され他方の手摺りの端部と連結する第２手摺り連結部を備え、
前記第１係合部と第２係合部とは、前記第１手摺り連結部に前記一方の手摺りの端部が連結されるとともに、前記第２手摺り連結部に前記他方の手摺りの端部が連結された状態で、締結部材によって互いに係脱自在に係合できるように構成されていることを特徴とする手摺り用連結具。
【請求項２】
前記第１手摺り連結部と第１係合部とは、それらが一体成形されることにより連結され、
前記第２手摺り連結部と第２係合部とは、それらが一体成形されることにより連結されていることを特徴とする請求項１記載の手摺り用連結具。
【請求項３】
前記第１手摺り連結部は、前記一方の手摺りの端部を収納する筒状の第１手摺り収納凹部を備え、
前記第２手摺り連結部は、前記他方の手摺りの端部を収納する筒状の第２手摺り収納凹部を備え、
前記第１手摺り収納凹部と第２手摺り収納凹部とは、前記第１係合部と第２係合部とが係合されるに伴って、互いの軸方向がほぼ直交するように構成されていることを特徴とする請求項１又は２記載の手摺り用連結具。
【考案の詳細な説明】
【技術分野】
【０００１】
本考案は、建造物の壁面等に取り付けられる手摺りを連結する手摺り用連結具に関するものである。
【背景技術】
【０００２】
階段や廊下等の壁面に設置される手摺りは、歩行時の安全の確保や美観などの観点から、連続的なラインを形成して設置することが求められる。このため、複数本の所定長さの手摺りは、手摺り用連結具によって継ぎ足され、壁面取付具等によって壁面に固定されている。
【０００３】
例えば特許文献１に、手摺り用連結具が開示されている。この手摺り用連結具は、連結部材と、その両端に手摺りを連結するための可動部材とを備えており、可動部材は連結部材に対して相対運動可能となるように連結部材に結合して構成されている。この手摺り用連結具を用いて手摺りを連結する場合には、以下の施工方法により行われる。例えば、２本の手摺りを第１の手摺り、第２の手摺りとして連結する場合には、まず、第１の手摺りの先端部分を連結具の一方側の可動部材の挿入口に挿入して第１の手摺りと一方側の可動部材とを連結する。そして、他方側の可動部材の挿入口を、第２の手摺りの軸方向に向くように調整する。次に、第２の手摺りをその軸方向にスライドさせて前記挿入口に挿入し、第２の手摺りと他方側の可動部材とを連結することによって行われる。
【先行技術文献】
【特許文献】
【０００４】
【特許文献１】特開平１１−６２６７号公報
【考案の概要】
【考案が解決しようとする課題】
【０００５】
しかしながら、上記施工方法によれば、第２の手摺りを連結具に連結する場合には、連結具が第１の手摺りに取り付けられているため、第２の手摺りを挿入口に挿入される位置に配置し、さらに第２の手摺り全体をスライドさせて、挿入口に挿入する必要がある。
【０００６】
また、壁面の化粧等を施すために一度設置された手摺りを取り外す場合も多いが、その場合には、手摺り自体の反りや施工精度等の問題から、連結具の中心軸と手摺りの中心軸が一致せず、再度手摺りを挿入口に挿入することが困難な場合がある。この場合であっても、取り外した手摺りについて軸方向のスライドを繰り返し、手摺りを強制的に挿入口に嵌め込んで施工を行う必要がある。
【０００７】
このように、従来の連結具では、手摺りを連結具に連結する際には、挿入口に対して長尺物である手摺り側の移動が強いられる。また、軸方向に開口深さを持つ挿入口に嵌め込む必要があることから、嵌め込む際に手摺り全体を移動させる方向が軸方向のみに限定されてしまい、手摺りの連結施工作業は非常に煩わしい作業を伴うものであり、時間のかかる作業であった。
【０００８】
本考案は、手摺り同士を容易に連結することができ、施工作業を短時間で行い得る手摺り用連結具を提供することを目的としている。
【課題を解決するための手段】
【０００９】
上記課題を解決するために、本願は、２本の手摺りを連結する手摺り用連結具であって、第１連結具片と、第２連結具片とを備え、前記第１連結具片は、一端側に、一方の手摺りの端部と連結する第１手摺り連結部を備えているとともに、他端側に、前記第１手摺り連結部と固定的に連結された第１係合部を備え、前記第２連結具片は、一端側に、前記第１係合部と係脱自在に係合する第２係合部を備えているとともに、他端側に、前記第２係合部と固定的に連結され他方の手摺りの端部と連結する第２手摺り連結部を備え、前記第１係合部と第２係合部とは、前記第１手摺り連結部に前記一方の手摺りの端部が連結されるとともに、前記第２手摺り連結部に前記他方の手摺りの端部が連結された状態で、締結部材によって互いに係脱自在に係合できるように構成されていることを特徴とする手摺り用連結具を提供する。
【００１０】
又、前記第１手摺り連結部と第１係合部とは、それらが一体成形されることにより互いに連結され、前記第２手摺り連結部と第２係合部とは、それらが一体成形されることにより互いに連結されているのが好ましい。
【００１１】
又、前記第１手摺り連結部は、前記一方の手摺りの端部を収納する筒状の第１手摺り収納凹部を備え、前記第２手摺り連結部は、前記他方の手摺りの端部を収納する筒状の第２手摺り収納凹部を備え、前記第１手摺り収納凹部と第２手摺り収納凹部とは、前記第１係合部と第２係合部とが係合されるに伴って、互いの軸方向がほぼ直交するように構成されているのが好ましい。
【考案の効果】
【００１２】
本考案によれば、第１連結具片の第１手摺り連結部に一方の手摺りの端部を連結するとともに、第２連結具片の第２手摺り連結部に他方の手摺りの端部を連結した状態で、第１連結具片と第２連結具片とを締結部材によって互いに係合できる。従って、例えば一度、壁面等に連結具を用いて手摺りを組み付けた後においても、手摺りを連結した状態で第１連結具片と第２連結具片との係合を外せば、２本の手摺りの連結を外すことができる。再度、組み付ける場合は、第１連結具片と第２連結具片とを締結するだけで手摺り同士を連結することができ、第１連結具片または第２連結具片を取り付けた手摺りを可能な限り自由に動かして、容易に位置合わせを行うことができる。よって、従来の連結施工作業における煩わしい作業が不要となり、施工時間を従来品より短縮することができる。
【００１３】
又、第１手摺り連結部と第１係合部とは、それらが一体成形されることにより互いに連結され、第２手摺り連結部と第２係合部とは、それらが一体成形されることにより互いに連結されているものとすることにより、第１連結具片及び第２連結具片の製作を容易なものにできる。
【００１４】
又、第１手摺り収納凹部に一方の手摺りの端部を収納して連結するとともに、第２手摺り収納凹部に他方の手摺りの端部を収納して連結し、その後、第１係合部と第２係合部とを締結部材によって係合すれば、一方の手摺りと他方の手摺りとを互いに軸方向が直交した状態に連結できる。従って、例えば直角な壁面に手摺りを沿わせるようにして連結する場合も、第１係合部と第２係合部とを締結部材によって係合すればよく、直角な壁面に手摺りを容易に組み付けることができる。
【図面の簡単な説明】
【００１５】
【図１】本考案の第１実施形態の手摺り用連結具の斜視図である。
【図２】図１の手摺り用連結具の分解斜視図である。
【図３】図１の手摺り用連結具の断面図である。
【図４】本考案の第２実施形態の手摺り用連結具の斜視図である。
【図５】図４の手摺り用連結具の分解斜視図である。
【図６】第１連結具片の分解斜視図である。
【図７】図４の手摺り用連結具の断面図である。
【考案を実施するための形態】
【００１６】
以下、本考案を実施するための形態について、図面を参照しながら詳細に説明する。図１は、第１実施形態の手摺り用連結具の全体を示す斜視図、図２は、図１の手摺り用連結具の分解斜視図、図３は、図１の手摺り用連結具の断面図である。
【００１７】
第１実施形態の手摺り用連結具１は、第１連結具片２と、第２連結具片３とから構成されている。第１連結具片２は、図１、図２の右側に、第１手摺り連結部２１を備え、図、図２の左上側に、第１手摺り連結部２１と固定的に連結された第１係合部２２を備えている。
【００１８】
第１手摺り連結部２１は、この実施形態では、金属製で、この手摺り用連結具１により連結する２本の手摺り１００ａ、１００ｂの内の一方の手摺り１００ａの端部１０１（図３に図示）と連結する。
【００１９】
この第１手摺り連結部２１は、図３に示すように一方の手摺り１００ａの端部１０１を収納する第１手摺り収納凹部２１ａと、収納した手摺り１００ａの端部１０１と第１手摺り連結部２１とを固定状態にするための後述の固定用ボルト１１（図１、図２に図示）が挿通される手摺り固定用ボルト孔２１ｂとを備えている。
【００２０】
第１手摺り収納凹部２１ａは、図３の右側の一方側の端面から第１手摺り連結部２１の軸方向に沿って、所定の深さで断面円形状に凹設されている。
【００２１】
手摺り固定用ボルト孔２１ｂは、前後両側の夫々に設けられた一対のものから構成されており、各手摺り固定用ボルト孔２１ｂは、第１手摺り連結部２１の外周面から第１手摺り収納凹部２１ａに貫通するように明けられている。
【００２２】
このように構成された第１手摺り連結部２１は、図１〜図３に示すように手摺り収納凹部２１ａに手摺り１００ａの端部１０１が収納された後、収納された手摺り１００ａの端部１０１に、固定部材としての固定用ボルト１１が手摺り固定用ボルト孔２１ｂを介して手摺り１００ａの端部１０１にねじ込まれる。これにより、第１手摺り連結部２１と収納された手摺り１００ａとが固定的に連結される。
【００２３】
第１係合部２２は、第１手摺り連結部２１の図の左側に第１手摺り連結部２１と一体的に形成されており、後面側が開放された断面半円形状のものから構成され、左端側から右端側に正面視で湾曲状に延ばされるようにして形成されている。
【００２４】
又、第１係合部２２は、後述の係合ボルト１２を係止する係合ボルト係止部２２ａを備えている。
【００２５】
第２連結具片３は、第１連結具片２とほぼ同構成を採っており、第２手摺り連結部３１と、第２手摺り連結部３１と固定的に連結された第２係合部３２とを備えている。
【００２６】
第２手摺り連結部３１は、この手摺り用連結具１により連結する２本の手摺り１００ａ、１００ｂの内の他方の手摺り１００ｂの端部１０１（図３に図示）と連結する。
【００２７】
この第２手摺り連結部３１は、図３に示すように他方の手摺り１００ｂの端部１０１を収納する第２手摺り収納凹部３１ａと、収納した手摺り１００ｂの端部１０１と第２手摺り連結部３１とを固定状態にするための固定用ボルト１１（図１、図２に図示）が挿通される手摺り固定用ボルト孔３１ｂとを備えている。
【００２８】
そして、この第２手摺り連結部３１は、上記第１手摺り連結部２１と左右対称位置に配設されている。
【００２９】
第２係合部３２は、第２手摺り連結部３１の右側に一体的に形成されている。又、第１係合部２２は、図２に示すように後述の係合ボルト１２と螺合する係合用ネジ孔３２ａを備えている。
【００３０】
このように構成された第２係合部３２は、上記第１係合部２２と前後対称位置に配設されている。
【００３１】
そして、この第２係合部３２は、第１係合部２２の後方側から重ね合わされ、その重ね合わされた状態で、第１係合部２２の係合ボルト係止部２２ａに設けられた係合ボルト挿通孔（図示せず）に係合ボルト（締結部材）１２の軸部が挿通され、その挿通された軸部が係合用ネジ孔３２ａに螺合されることにより、第１係合部２２に係脱可能に係合される。
【００３２】
このようにして第１係合部２２と第２係合部３２とが係合した状態で、図１、図３に示すように第１係合部２２と第２係合部３２とで軸方向が９０°屈曲した断面円形状の筒状部が形成されるとともに、第１手摺り収納凹部２１ａの軸心Ｐ１と第２手摺り収納凹部３１ａの軸心Ｐ２とのなす角度α１が直交する。
【００３３】
次に、以上のように構成された手摺り用連結具１を用いて、２つの手摺り１００ａ、１００ｂ同士を連結する方法について説明する。
【００３４】
まず、第１連結具片２の第１手摺り収納凹部２１ａに一方の手摺り１００ａを収納して固定用ボルト１１によって固定的に連結するとともに、第２連結具片３の第２手摺り収納凹部３１ａに他方の手摺り１００ｂを収納して固定用ボルト１１によって固定的に連結する。
【００３５】
この状態から、第１連結具片２の第１係合部２２と第２連結具片３の第２係合部３２とを、係合ボルト１２を用いて係合させる。これにより、手摺り用連結具１により手摺り１００ａ、１００ｂ同士を、互いの軸心同士を直交させた状態で連結できる。
【００３６】
従って、予め手摺り１００ａ、１００ｂに第１連結具片２、第２連結具片３を取り付けた状態で手摺り同士を連結することができる。したがって、壁面の化粧等を施すために一度設置された手摺り１００ａ、１００ｂを取り外した場合でも、第１連結具片２と第２連結具片３とを係脱すればよく、施工を容易に行うことができる。
【００３７】
次に、第２実施形態の手摺り用連結具２００について、図４〜図７に基づいて説明する。第２実施形態の手摺り用連結具２００は、先の第１実施形態のものと同様に、第１連結具片２０２と、第２連結具片２０３とから構成されている。
【００３８】
第２実施形態の第１連結具片２０２は、図６に示すように第１手摺り連結部２２１と、第１手摺り連結部２２１と別体のものからなる第１係合部２２２と、それらを連結した第１連結具２２３ａ〜２２３ｃとを備えている。
【００３９】
第１手摺り連結部２２１は、図７に示すように第１手摺り収納凹部２２１ａと、手摺り固定用ボルト孔２２１ｂと、連結凸部２２１ｃとを備えている。第１手摺り収納凹部２２１ａ及び手摺り固定用ボルト孔２２１ｂは、先の第１手摺り収納凹部２１ａ、手摺り固定用ボルト孔２１ｂそれぞれと同構成を採っている。
【００４０】
連結凸部２２１ｃは、第１係合部２２２側に略半球状に、図の左方側の第１係合部２２２側に突出するように形成されている。又、連結凸部２２１ｃは、その中心から偏った位置に四角柱状の凸部用連結孔２２１ｄを備えている。
【００４１】
第１係合部２２２は、図の右端部に、連結凸部２２１ｃを受容する連結凹部２２２ｂを備えている。連結凹部２２２ｂは、連結凸部２２１ｃの外周形状と略同じ形状の略半球状に内側に凹まされるように形成されている。
【００４２】
又、連結凹部２２２ｂは、その中心部に、四角柱状の凹部用連結孔２２２ｃを備えている。
【００４３】
又、第１係合部２２２は、係合ボルト２１２と螺合する係合用ネジ孔２２２ａを備えている。係合用ネジ孔２２２ａは、先の実施形態の第１係合部２２の係合用ネジ孔３２ａと同構成を採っている。
【００４４】
第１連結具は、この実施形態では、連結軸２２３ａと、ブッシュ２２３ｂと、止めワッシャ２２３ｃとから構成されている。連結軸２２３ａは、図６に示すように、基端側の四角柱状部２２３ｄと、先端側の円柱状部２２３ｅとを備えている。
【００４５】
そして、第１係合部２２２の連結凹部２２２ｂに第１手摺り連結部２２１の連結凸部２２１ｃが受容された状態で、連結軸２２３ａの四角柱状部２２３ｄが、凹部用連結孔２２２ｃから凸部用連結孔２２１ｄに嵌め入れられるとともに、凸部用連結孔２２１ｄから突出した連結軸２２３ａの円柱状部２３３ｅにブッシュ２２３ｂ及び止めワッシャ２２３ｃが挿通される。
【００４６】
これにより、連結軸２３３ａが凹部用連結孔２２２ｃ及び凸部用連結孔２２１ｄに嵌め入れられるとともに、その状態で抜け止めされてその状態に維持される。この状態で、第１係合部２２２と第１手摺り連結部２２１とが固定的に連結される。
【００４７】
又、この状態で、この実施形態では、第１係合部２２２と第１手摺り連結部２２１とのそれぞれの軸心Ｐ１２、Ｐ１０同士のなす角度α３が略４５°になっている。
【００４８】
第２連結具片２０３は、上記第１連結具片２０２と略前後対称及び左右対称形状に形成されており、上記第１連結具片２０２と同様に、第２手摺り連結部２３１と、第２手摺り連結部２３１と別体のものからなる第２係合部２３２と、それらを連結した第２連結具２３３ａ〜２３３ｃとを備えている。
【００４９】
第２手摺り連結部２３１は、図７に示すように第２手摺り収納凹部２３１ａと、手摺り固定用ボルト孔２３１ｂと、連結凸部２３１ｃとを備えている。これらの第２手摺り収納凹部２３１ａと、手摺り固定用ボルト孔２３１ｂと、連結凸部２３１ｃとは、第１手摺り連結部２２１のものと同構成を採っている。
【００５０】
第２係合部２３２は、連結凹部２３２ｂと、係合ボルト係止部２３２ａ（図５に図示）を備えている。連結凹部２３２ｂは、第１係合部２２２のものと同構成を採っている。又、係合ボルト係止部２３２ａは、先の第１実施形態の第２係合部３２の係合ボルト係止部２２ａと同構成を採っている。
【００５１】
又、この第２実施形態では、第２係合部２３２は、第２位置決め片２３２ｃ（図７に図示）を備えている。この第２位置決め片２３２ｃは、第１係合部２２２と第２係合部２３２とを係合する際に位置決めするためのもので、上部に２つ、下部に１つ、それぞれ後方側の第１係合部２２２側に突出するように形成されている。
【００５２】
そして、第１係合部２２２と第２係合部２３２とが係合されるに際して、図７に示すように第２位置決め片２３２ｃが、第１係合部２２２に設けられた第１位置決め片２２２ｄの間に嵌め入れられることにより、第２係合部２３２が第１係合部２２２に対して位置きめされるようになっている。
【００５３】
第２連結具２３３ａ〜２３３ｃは、連結軸２３３ａと、ブッシュ２３３ｂと、止めワッシャ２３３ｃとから構成されている。これらの連結軸２３３ａ、ブッシュ２３３ｂ、及び止めワッシャ２３３ｃは、第１連結具の連結軸２２３ａ、ブッシュ２２３ｂ、及び止めワッシャ２２３ｃのそれぞれと同構成を採っている。
【００５４】
このように構成された第２実施形態の手摺り用連結具２００は、次のようにして使用される。
【００５５】
まず、第１連結具片２０２は、第１手摺り連結部２２１と第１係合部２２２とが第１連結具２２３ａ〜２２３ｃによって連結された状態にされ、その状態から、第１手摺り収納凹部２２１ａに、一方の手摺り１００ａを収納して固定用ボルト２１１によって固定的に連結される。
【００５６】
同様に、第２連結具片２０３は、第２手摺り連結部２３１と第２係合部２３２とが第２連結具２３３ａ〜２３３ｃによって連結された状態にされ、その状態から、第２手摺り収納凹部２３１ａに、他方の手摺り１００ｂが収納されて固定用ボルト２１１によって固定的に連結される。
【００５７】
又、この状態で、図７に示すように第１手摺り収納凹部２２１ａの軸心Ｐ１０と第２手摺り収納凹部２３１ａの軸心Ｐ１１とのなす角度α２が直交する。
【００５８】
そして、この状態から、先の第１実施形態と同様に、第１連結具片２０２の第１係合部２２２と第２連結具片２０３の第２係合部２３２とが、係合ボルト２１２を用いて係合される。これにより、手摺り用連結具２００により手摺り１００ａ、１００ｂ同士を、互いの軸方向を直交させた状態で連結できる。
【００５９】
従って、この第２実施形態においても、予め手摺り１００ａ、１００ｂに第１連結具片２０２、第２連結具片２０３を取り付けた状態で手摺り１００ａ、１００ｂ同士を連結することができる。したがって、壁面の化粧等を施すために一度設置された手摺り１００ａ、１００ｂを取り外した場合でも、第１連結具片２０２と第２連結具片２０３とを係脱すればよく、施工を容易に行うことができる。
【符号の説明】
【００６０】
１、２００    手摺り用連結具
２、２０２    第１連結具片
３、２０３    第２連結具片
２１、２２１    第１手摺り連結部
２２、２２２    第１係合部
３１、２３１    第２手摺り連結部
３２、２３２    第２係合部
１２、２１２    係合ボルト（締結部材）
１００ａ、１００ｂ    手摺り
【図１】
0003177255.tif 000003
【図２】
0003177255.tif 000004
【図３】
0003177255.tif 000005
【図４】
0003177255.tif 000006
【図５】
0003177255.tif 000007
【図６】
0003177255.tif 000008
【図７】
0003177255.tif 000009